(57)【要約】【課題】手書き入力する際にタッチペンの接触点状態を判別して手書き情報を識別できる入力制御装置を提供することを目的とする。【解決手段】  ＣＰＵ２１は、手書き入力が有ったかどうかを判断し（Ｓ１０１）、検出したと判断した場合は（Ｓ１０１：ＹＥＳ）、次に接触点状態判別処理を実行する（Ｓ１０２）。次に、ＣＰＵ２１は、接触点状態に対応するペンＩＤに、ユーザＩＤが対応付けて登録されているかどうかを判断する（Ｓ１０３）。登録済と判断した場合（Ｓ１０３：ＹＥＳ）、次に座標情報取得処理を実行する（Ｓ１０６）。手書き情報の座標情報に、タッチペン識別情報データベース２４２１の入力ＩＤと同じ識別情報で関連付けして、入力情報データベース２４１１に記憶する（Ｓ１０７）。次に接触点状態に対応した基準座標を算出決定して記憶し（Ｓ１０８）、手書き情報表示処理を実行する（Ｓ１０９）。【選択図】図１２
2012053526.tif 000002
【特許請求の範囲】
【請求項１】
異なる複数のタッチペンによる手書き情報の入力を受け付け、前記手書き情報を表示手段へ表示する入力制御装置に於いて、
使用者により手書き入力される手書き情報を取得する手書き情報取得手段と、
前記手書き情報取得手段により取得した前記手書き情報に基づいて、前記タッチペンによる入力時の接触点の状態である接触点状態を判別する接触点状態判別手段と、
前記接触点状態判別手段により判別された前記接触点状態に対応付けて記憶されている前記タッチペンの識別情報であるペン識別情報を特定する特定手段と、
前記手書き情報取得手段により取得した前記手書き情報と、前記特定手段により特定された前記ペン識別情報とを対応付けして識別手書き情報として記憶する識別手書き情報記憶手段と、
を備えることを特徴とする入力制御装置。
【請求項２】
前記接触点状態判別手段は、入力時の接触点の数、接触点の形状，または接触点の位置関係に基づいて前記接触点状態を判別することを特徴とする請求項１に記載の入力制御装置。
【請求項３】
前記識別手書き情報記憶手段は、前記手書き情報取得手段で取得した前記手書き情報に基づいて、前記接触点状態判別手段で判別した接触点の位置から決定される基準位置を前記手書き情報として記憶することを特徴とする請求項２に記載の入力制御装置。
【請求項４】
前記入力制御装置は、予め前記ペン識別情報に対応付けして登録された複数のタッチペンを備え、
複数の前記タッチペンは、手書き入力時の接触点の数、接触点の形状，または接触点の位置関係が前記タッチペン毎に異なる様な先端形状で構成されており、
前記ペン識別情報と、前記タッチペンの先端形状である前記接触点の数、接触点の形状，または前記接触点の位置関係の情報を対応付けして記憶されているペン識別情報記憶手段を備えることを特徴とする請求項２乃至３の何れか１項に記載の入力制御装置。
【請求項５】
前記入力制御装置は、前記タッチペンを使用する使用者の識別情報である使用者識別情報を取得する使用者識別情報取得手段をさらに備え、
前記ペン識別情報記憶手段は、前記使用者識別情報取得手段で取得した前記使用者識別情報と、前記ペン識別情報を対応付けして記憶することを特徴とする請求項４に記載の入力制御装置。
【請求項６】
前記タッチペンは、先端形状を構成する部分に、手書き入力時に伸縮可能な先端部材が備えられていることを特徴とする請求項４乃至５の何れかに記載の入力制御装置。
【請求項７】
前記入力制御装置は、識別手書き情報記憶手段にて記憶された前記識別手書き情報の選択を受け付ける選択手段と、
前記選択手段で選択された前記識別手書き情報を編集する編集手段をさらに備え、
前記編集手段は、前記選択手段で選択された前記識別手書き情報と同じ前記ペン識別情報が対応付けられている前記手書き情報の全てを編集することを特徴とする請求項１乃至６の何れか１項に記載の入力制御装置。
【請求項８】
異なる複数のタッチペンによる手書き情報の入力を受け付け、前記手書き情報を表示手段へ表示する入力制御装置にて実行する入力制御方法について、
使用者により手書き入力される手書き情報を取得する手書き情報取得ステップと、
前記手書き情報取得ステップにより取得した前記手書き情報に基づいて、前記タッチペンによる入力時の接触点の状態である接触点状態を判別する接触点状態判別ステップと、
前記接触点状態判別ステップにより判別された前記接触点状態に対応付けて記憶されている前記タッチペンの識別情報であるペン識別情報を特定する特定ステップと、
前記手書き情報取得ステップにより取得した前記手書き情報と、前記特定ステップにより特定された前記ペン識別情報とを対応付けして識別手書き情報として記憶する識別手書き情報記憶ステップと、
を実行することを特徴とする入力制御方法。
【請求項９】
異なる複数のタッチペンによる手書き情報の入力を受け付け、前記手書き情報を表示手段へ表示する入力制御装置にて実行する入力制御プログラムについて、
使用者により手書き入力される手書き情報を取得する手書き情報取得ステップと、
前記手書き情報取得ステップにより取得した前記手書き情報に基づいて、前記タッチペンによる入力時の接触点の状態である接触点状態を判別する接触点状態判別ステップと、
前記接触点状態判別ステップにより判別された前記接触点状態に対応付けて記憶されている前記タッチペンの識別情報であるペン識別情報を特定する特定ステップと、
前記手書き情報取得ステップにより取得した前記手書き情報と、前記特定ステップにより特定された前記ペン識別情報とを対応付けして識別手書き情報として記憶する識別手書き情報記憶ステップと、
を実行することを特徴とする入力制御プログラム。
【発明の詳細な説明】
【技術分野】
【０００１】
本発明は、手書き入力する際にタッチペンの接触点状態を判別して手書き情報を識別できる入力制御装置、入力制御方法、および入力制御プログラムに関する。
【背景技術】
【０００２】
従来、ペン等を用いて画面上に文字や図形を手書き入力する機能を有する情報処理装置が考案されている。前記情報処理装置では、情報を表示するための表示部とタッチパネルなどの入力部を組み合わせることで、使用者により入力された手書き情報の筆跡を表示しながら入力することができるようになっている。
【０００３】
さらに、両端が異なる太さのペン先形状を備えたタッチペンを設け、タッチパネル画面への手書き入力時に、ペン先の太さを判定し、書込みモードか消去モードかを判断して、モード切り替え操作に掛かる時間的負担を少なくした入力装置も考案されている。（特許文献１）
【先行技術文献】
【特許文献】
【０００４】
【特許文献１】特開平１０−２１４１４７号公報
【発明の概要】
【発明が解決しようとする課題】
【０００５】
しかしながら、上記入力装置では、１つのタッチペンに対して、書込みモードか消去モードかの判定はできるが、１つのタッチパネル画面に対して複数のタッチペンで手書き入力された場合、入力された手書き情報とタッチペンを対応付けして判別することはできないという課題がある。
【０００６】
そこで、本発明の目的は、手書き入力する際にタッチペンの接触点状態を判別して手書き情報を識別できる入力制御装置、入力制御方法、および入力制御プログラムを提供することを目的とする。
【課題を解決するための手段】
【０００７】
上記目的を解決する為に、請求項１に記載の入力制御装置は、異なる複数のタッチペンによる手書き情報の入力を受け付け、前記手書き情報を表示手段へ表示する入力制御装置に於いて、使用者により手書き入力される手書き情報を取得する手書き情報取得手段と、前記手書き情報取得手段により取得した前記手書き情報に基づいて、前記タッチペンによる入力時の接触点の状態である接触点状態を判別する接触点状態判別手段と、前記接触点状態判別手段により判別された前記接触点状態に対応付けて記憶されている前記タッチペンの識別情報であるペン識別情報を特定する特定手段と、前記手書き情報取得手段により取得した前記手書き情報と、前記特定手段により特定された前記ペン識別情報とを対応付けして識別手書き情報として記憶する識別手書き情報記憶手段とを備えることを特徴とする。
【０００８】
請求項２に記載の入力制御装置では、請求項１に記載の構成に加え、前記接触点状態判別手段は、入力時の接触点の数、接触点の形状，または接触点の位置関係に基づいて前記接触点状態を判別することを特徴とする。
【０００９】
請求項３に記載の入力制御装置では、請求項２に記載の構成に加え、前記識別手書き情報記憶手段は、前記手書き情報取得手段で取得した前記手書き情報に基づいて、前記接触点状態判別手段で判別した接触点の位置から決定される基準位置を前記手書き情報として記憶することを特徴とする。
【００１０】
請求項４に記載の入力制御装置では、請求項２乃至３の何れか１項に記載の構成に加え、前記入力制御装置は、予め前記ペン識別情報に対応付けして登録された複数のタッチペンを備え、複数の前記タッチペンは、手書き入力時の接触点の数、接触点の形状，または接触点の位置関係が前記タッチペン毎に異なる様な先端形状で構成されており、前記ペン識別情報と、前記タッチペンの先端形状である前記接触点の数、接触点の形状，または前記接触点の位置関係の情報を対応付けして記憶されているペン識別情報記憶手段を備えることを特徴とする。
【００１１】
請求項５に記載の入力制御装置では、請求項４に記載の構成に加え、前記入力制御装置は、前記タッチペンを使用する使用者の識別情報である使用者識別情報を取得する使用者識別情報取得手段をさらに備え、前記ペン識別情報記憶手段は、前記使用者識別情報取得手段で取得した前記使用者識別情報と、前記ペン識別情報を対応付けして記憶することを特徴とする。
【００１２】
請求項６に記載の入力制御装置では、請求項４乃至５の何れか１項に記載の構成に加え、前記タッチペンは、先端形状を構成する部分に、手書き入力時に伸縮可能な先端部材が備えられていることを特徴とする。
【００１３】
請求項７に記載の入力制御装置では、請求項１乃至６の何れか１項に記載の構成に加え、前記入力制御装置は、識別手書き情報記憶手段にて記憶された前記識別手書き情報の選択を受け付ける選択手段と、前記選択手段で選択された前記識別手書き情報を編集する編集手段をさらに備え、前記編集手段は、前記選択手段で選択された前記識別手書き情報と同じ前記ペン識別情報が対応付けられている前記手書き情報の全てを編集することを特徴とする。
【００１４】
請求項８に記載の入力制御方法は、異なる複数のタッチペンによる手書き情報の入力を受け付け、前記手書き情報を表示手段へ表示する入力制御装置にて実行する入力制御方法について、使用者により手書き入力される手書き情報を取得する手書き情報取得ステップと、前記手書き情報取得ステップにより取得した前記手書き情報に基づいて、前記タッチペンによる入力時の接触点の状態である接触点状態を判別する接触点状態判別ステップと、前記接触点状態判別ステップにより判別された前記接触点状態に対応付けて記憶されている前記タッチペンの識別情報であるペン識別情報を特定する特定ステップと、前記手書き情報取得ステップにより取得した前記手書き情報と、前記特定ステップにより特定された前記ペン識別情報とを対応付けして識別手書き情報として記憶する識別手書き情報記憶ステップとを実行することを特徴とする。
【００１５】
請求項９に記載の入力制御プログラムは、異なる複数のタッチペンによる手書き情報の入力を受け付け、前記手書き情報を表示手段へ表示する入力制御装置にて実行する入力制御プログラムについて、使用者により手書き入力される手書き情報を取得する手書き情報取得ステップと、前記手書き情報取得ステップにより取得した前記手書き情報に基づいて、前記タッチペンによる入力時の接触点の状態である接触点状態を判別する接触点状態判別ステップと、前記接触点状態判別ステップにより判別された前記接触点状態に対応付けて記憶されている前記タッチペンの識別情報であるペン識別情報を特定する特定ステップと、前記手書き情報取得ステップにより取得した前記手書き情報と、前記特定ステップにより特定された前記ペン識別情報とを対応付けして識別手書き情報として記憶する識別手書き情報記憶ステップとを実行することを特徴とする。
【発明の効果】
【００１６】
請求項１に記載の発明の入力制御装置では、異なる複数のタッチペンによる手書き情報の入力を受け付け、手書き情報を表示手段へ表示する入力制御装置であって、使用者により手書き入力される手書き情報を取得する。そして、取得した手書き情報に基づいて、タッチペンによる入力時の接触点の状態である接触点状態を判別する。次に、判別された接触点状態に対応付けて記憶されているタッチペンの識別情報であるペン識別情報を特定する。そして、取得した手書き情報と、特定されたペン識別情報とを対応付けして識別手書き情報として記憶する。したがって、複数の使用者によって、各々が利用する異なるタッチペンで手書き入力する場合でも、タッチペンの接触点の状態を判別することで、入力した手書き情報とタッチペンを対応付けして記憶することができる。
【００１７】
請求項２に記載の入力制御装置では、請求項１に記載の効果に加え、入力時の接触点の数、接触点の形状，または接触点の位置関係に基づいて接触点状態を判別する。よって、タッチペンの接触点の状態を的確に判別できるので、使用者は、入力した手書き情報とタッチペンを正確に対応付けて記憶することができるようになる。
【００１８】
請求項３に記載の入力制御装置では、請求項２に記載の効果に加え、取得した手書き情報に基づいて、判別した接触点の位置から決定される基準位置を手書き情報として記憶する。よって、使用者は、接触点の異なるタッチペンで入力しても、意図する手書き情報を入力して記憶することができる。
【００１９】
請求項４に記載の入力制御装置では、請求項２乃至３の何れか１項に記載の効果に加え、入力制御装置は、予めペン識別情報に対応付けして登録された複数のタッチペンを備える。そして複数のタッチペンは、手書き入力時の接触点の数、接触点の形状，または接触点の位置関係がタッチペン毎に異なる様な先端形状で構成されており、ペン識別情報と、タッチペンの先端形状である接触点の数、接触点の形状，または接触点の位置関係の情報を対応付けして記憶されている。よって、使用者は、予め登録されている先端形状の異なるタッチペンを利用することにより、手書き入力時の接触点の状態を判別でき、入力した手書き情報とタッチペンを正確に対応付けして記憶することができる。
【００２０】
請求項５に記載の入力制御装置では、請求項４に記載の効果に加え、入力制御装置は、タッチペンを使用する使用者の識別情報である使用者識別情報を取得する。そして、取得した使用者識別情報と、ペン識別情報を対応付けして記憶する。よって、使用者は、入力制御装置に使用者情報を記憶させて、タッチペンのペン識別情報と対応付けさせることができるので、複数の使用者により手書き情報が入力された場合でも、手書き情報と使用者を各々対応付けして記憶することができる。
【００２１】
請求項６に記載の入力制御装置では、請求項４乃至５の何れか１項に記載の効果に加え、タッチペンは、先端形状を構成する部分に、手書き入力時に伸縮可能な先端部材が備えられている。よって、使用者は、先端形状の異なるタッチペンで手書き入力する場合でも、先端部分に備えられた伸縮可能な先端部材によって、ペンの傾きに追従しながら異なる接触点の状態を維持できるので、自由な使用状態でも正確に手書き情報とタッチペンを対応付けして記憶することができる。
【００２２】
請求項７に記載の入力制御装置では、請求項１乃至６の何れか１項に記載の効果に加え、入力制御装置は、記憶された識別手書き情報の選択を受け付け、選択された識別手書き情報を編集する。そして選択された識別手書き情報と同じペン識別情報が対応付けられている手書き情報の全てを編集する。よって、使用者は、自身が入力した手書き情報を選択する操作を行うことで、自身が入力した手書き情報のみを容易に編集することができるようになる。
【００２３】
請求項８に記載の発明の入力制御方法では、異なる複数のタッチペンによる手書き情報の入力を受け付け、手書き情報を表示手段へ表示する入力制御方法であって、使用者により手書き入力される手書き情報を取得する。そして、取得した手書き情報に基づいて、タッチペンによる入力時の接触点の状態である接触点状態を判別する。次に、判別された接触点状態に対応付けて記憶されているタッチペンの識別情報であるペン識別情報を特定する。そして、取得した手書き情報と、特定されたペン識別情報とを対応付けして識別手書き情報として記憶する。したがって、複数の使用者によって、各々が利用する異なるタッチペンで手書き入力する場合でも、タッチペンの接触点の状態を判別することで、入力した手書き情報とタッチペンを対応付けして記憶することができる。
【００２４】
請求項９に記載の発明の入力制御プログラムでは、異なる複数のタッチペンによる手書き情報の入力を受け付け、手書き情報を表示手段へ表示する入力制御プログラムであって、使用者により手書き入力される手書き情報を取得する。そして、取得した手書き情報に基づいて、タッチペンによる入力時の接触点の状態である接触点状態を判別する。次に、判別された接触点状態に対応付けて記憶されているタッチペンの識別情報であるペン識別情報を特定する。そして、取得した手書き情報と、特定されたペン識別情報とを対応付けして識別手書き情報として記憶する。したがって、複数の使用者によって、各々が利用する異なるタッチペンで手書き入力する場合でも、タッチペンの接触点の状態を判別することで、入力した手書き情報とタッチペンを対応付けして記憶することができる。
【図面の簡単な説明】
【００２５】
【図１】入力制御装置１０の概略構成図である。
【図２】入力制御装置１０の電気的構成図である。
【図３】フラッシュＲＯＭ２４の説明図である。
【図４】入力制御装置１０の表示画面説明図である。
【図５】タッチペン１１の構成説明図である。
【図６】タッチペン１１Ｃの先端部説明図である。
【図７】タッチペン識別情報データベース２４２１の説明図である。
【図８】ユーザＩＤ登録画面の説明図である。
【図９】入力情報データベース２４１１Ａの説明図である。
【図１０】入力情報データベース２４１１Ｂの説明図である。
【図１１】入力情報データベース２４１１Ｃの説明図である。
【図１２】入力制御装置１０で実行されるメイン処理のフローチャート説明図である。
【図１３】入力制御装置１０で実行されるユーザ登録処理のフローチャート説明図である。
【発明を実施するための形態】
【００２６】
以下、本発明を具体化した入力制御装置の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２７】
まず、図１〜図２を参照して、本実施形態の入力制御装置１０の概略構成、電気的構成について、順に説明する。
【００２８】
図１（ａ）、（ｂ）を参照して、本実施形態の入力制御装置１０の概略構成について説明をする。図１（ａ）に示す様に、入力制御装置１０は、一般的な材質である樹脂やアルミ等の材質で形成された矩形状の筐体１３に、画像や手書きで入力した情報を表示する為の表示手段１２が備えられている。さらに、表示手段１２には、使用者の指や備え付けのタッチペン１１により入力された位置情報を取得するタッチパネルが層状に重ねて配置されている。また、図１（ｂ）は、図１（ａ）に示した入力制御装置１０を図中のＬ方向から視た側面図を示したものである。図１（ｂ）に示す様に、筐体１３に対して、表示手段１２が配置されている面と反対側である背面側には、支持部材１４が備えられており、水平な載置面に対して筐体１３が所定の角度で安定して設置できるようになっている。
【００２９】
次に図２を参照して、入力制御装置１０の電気的構成について説明する。本実施形態の入力制御装置１０は、図２に示す様に、ＣＰＵ２１、ＲＯＭ２２、ＲＡＭ２３、フラッシュＲＯＭ２４と、表示手段１２を構成する表示モニタ２６、タッチパネル２７と、さらに計時手段２８を備えており、これらはすべてバスで相互に接続されている。
【００３０】
ＣＰＵ２１は、入力制御装置１０全体の制御を司る。ＲＯＭ２２は、入力制御装置１０の基本的な動作に必要なプログラムやそのための設定値等を記憶している。ＣＰＵ２１は、ＲＯＭ２２に記憶されたプログラムに従って、入力制御装置１０の動作を制御する。ＲＡＭ２３は、各種データを一時的に記憶するための記憶装置である。また、フラッシュＲＯＭ２４は、不揮発性の半導体メモリであり、後述する各種記憶エリアを備えている。
【００３１】
表示手段１２は、例えば液晶表示装置や有機ＥＬディスプレイなどの表示モニタ２６と、汎用的なタッチパネル２７が層状に重ねて配置されている。表示モニタ２６は、入力信号に従って画像や文字等を表示画面に表示する機器であり、使用者が入力制御装置１０の各種操作を行うためのアイコン等を表示する操作画面や、画像データ等を表示する。また、タッチパネル２７は、汎用的に用いられている抵抗膜方式、静電容量方式、超音波表面弾性波方式、赤外線遮光方式などの何れかの方式で、タッチペン１１の接触を検出する機器である。よって、使用者が表示手段１２を参照しながらタッチ入力すると、タッチパネル２７はタッチ入力された位置の座標情報を取得することができる。また、計時手段２８は、現在時刻を提示する時計機能や、また、後述する各種処理で、時間間隔を計測する為のタイマー機能も備えている機器である。
【００３２】
次に図３を参照して、フラッシュＲＯＭ２４の構成について説明する。フラッシュＲＯＭ２４は、入力情報記憶エリア２４１、タッチペン識別情報記憶エリア２４２、表示画面情報記憶エリア２４３等を含む複数の各種記憶エリアで構成されている。入力情報記憶エリア２４１には、詳細な説明は後述するが、先端形状の異なる複数のタッチペン１１に各々対応して、使用者によりタッチパネル２７を介して入力された手書き情報等が、入力情報データベース２４１１として記憶されている。また、タッチペン識別情報記憶エリア２４２には、使用者とタッチペンとを対応付けして記憶するタッチペン識別情報データベース２４２１が記憶されている。また、表示画面情報記憶エリア２４３には、本実施形態での入力制御装置１０の各種機能を使用者による選択操作で受け付ける為の操作画面情報や、アイコン等の表示画面情報が記憶されている。
【００３３】
次に図４、５を参照しながら、手書き情報について説明する。図４は、本実施形態の入力制御装置１０の表示手段１２に、例えば複数の使用者が、手書き情報Ａ０１、Ｂ０１、Ｃ０１を入力した状態の表示画面を示す。また、図５には、図４の手書き情報Ａ０１、Ｂ０１、Ｃ０１が入力される際に使用された３種類のタッチペン１１（１１Ａ、１１Ｂ、１１Ｃ）の形状的な特徴を示している。本実施形態では、手書き情報Ａ０１はタッチペン１１Ａにより入力された情報とし、同様に手書き情報Ｂ０１はタッチペン１１Ｂ、手書き情報Ｃ０１はタッチペン１１Ｃにより入力されたものとする。
【００３４】
ここで、図５、６を参照しながら、本実施形態で記載するタッチペン１１（１１Ａ、１１Ｂ、１１Ｃ）について、詳細に説明をする。図５には、タッチペン１１の正面図と、その正面図に対応する上部に、タッチペン１１の先端部方向から視た図が記載されている。タッチペン１１Ａは、先端部材Ｐａ１を１つの備えたタッチペンである。また、タッチペン１１Ｂは、入力する際に接触点が２箇所になる様に、先端部材Ｐｂ１、Ｐｂ２を備えたタッチペンである。さらに、タッチペン１１Ｃは、入力する際に接触点が３箇所になる様に、先端部材Ｐｃ１、Ｐｃ２、Ｐｃ３を備えたタッチペンである。よって、上記３種類のタッチペン１１を使用して入力制御装置１０へ手書き入力操作を行うと、各々異なる接触点の状態でタッチパネル２７によって手書き情報が検出されるようになる。
【００３５】
次に、図６を参照しながら、本実施形態でのタッチペン１１Ｃの先端部構成について、詳細に説明をする。図６は、入力制御装置１０の表示手段１２に対して、タッチペン１１Ｃを所定の角度で使用者により保持されながら手書き入力されている状態を示す図である。また、図６は、上記状態での入力制御装置１０の任意の箇所での略断面図である。タッチペン１１Ｃの先端部には、３つの先端部材である先端部材Ｐｃ１、Ｐｃ２、Ｐｃ３が備えられている。本実施形態での先端部は、図示する様な略円筒形状で構成され、使用者による手書き入力操作をされる際の筆圧に耐えうる剛性を備えた材質で形成されれば良く、例えば、汎用的なステンレス、アルミ等の金属部材や、ゴム部材、樹脂部材等を用いれば良いが、これに限るものではない。また、本実施形態でのタッチパネル２７に静電容量型を用いる場合は、上記先端部材に導電性の材質、例えば、誘電性繊維（金属細線、炭素繊維、カーボンブラック粒子を練りこんだ繊維、金属メッキ繊維、ナイロン繊維に硫化銅を化学結合させた有機電導性の繊維、誘電性ポリマーコート繊維など）を用いるのが望ましい。さらに、先端部材Ｐｃ１、Ｐｃ２、Ｐｃ３に対して、表示手段１２と接触する端の反対側の端には、各先端部材が筆圧に応じて軸線方向に移動可能になるような伸縮部材５１、５２、５３が当接して備えられている。具体的には、先端部材Ｐｃ１には伸縮部材５１が当接する様に構成され、先端部材Ｐｃ２には伸縮部材５２、先端部材Ｐｃ３には伸縮部材５３が、同様に当接するように構成されている。ここで言う伸縮部材は、汎用的な弾性材料を用いれば良く、例えば、バネ部材や、ゴム部材、発砲部材等で構成するのが適しているが、これに限る物ではなく、伸縮、または変形できる材料で構成されれば良い。またさらに、図示は省略するが、タッチペン１１Ｃには、上記３つの先端部材が各々接触しない様にガイド部材等を備えているものとする。上記構成を備えることで、使用者がタッチペン１１Ｃを傾けながら表示手段１２に対して手書き情報の入力操作を行う際にも、３つの先端部材が表示手段１２に対する角度に合わせて伸縮移動するので、３つの先端部材が表示手段１２に対する相対的な接触点の位置関係を維持しながら、表示手段１２に接触することができる。
【００３６】
また、図示は省略するが、図５に示すタッチペン１１Ｂについても、タッチペン１１Ｃと同様の先端部材と伸縮部材の構成を、先端部材Ｐｂ１、Ｐｂ２に対して適用すれば、同様に２つの接触点の相対的な位置関係を維持しながら、表示手段１２に接触することができる。また、タッチペン１１Ａについては、先端部材が１つなので、タッチペン１１Ｂ、１１Ｃのような、伸縮部材を備えても良いし、備えなくても良い。
【００３７】
次に、図７を参照しながら、タッチペン識別情報データベース２４２１について説明をする。タッチペン識別情報データベース２４２１は、タッチペン識別情報記憶エリア２４２に記憶されているデータベースであり、入力ＩＤの項目と、ペンＩＤの項目と、接触点状態の項目と、書式情報の項目と、ユーザＩＤの項目が対応付けられて記憶されている。入力ＩＤの項目には、使用者により入力制御装置１０に対して入力された手書き情報を識別する識別情報が記憶されている。また、ペンＩＤの項目には、予め登録されている複数のタッチペン１１を識別する為の識別情報が記憶されている。また、接触点状態の項目には、タッチペンの先端部材による接触点の状態に関する情報がペンＩＤに対応付けて記憶されている。書式情報の項目には、手書き情報を表示手段１２へ表示する線の書式情報が記憶されている。本実施形態では、書式情報の項目には線の色情報が記憶されているようにしたが、これに限るものではなく、例えば、線の種類、線幅等の情報が対応つけて記憶されるようにしても良い。また、ユーザＩＤの項目には、後述する図８のユーザＩＤ登録画面に対して入力された情報が、使用者を識別する為の識別情報として記憶されている。
【００３８】
そこで、図８を参照しながらユーザＩＤ登録画面について説明をする。図８に示すユーザＩＤ登録画面は、後述する図１２のメイン処理のステップ１０４の処理にて、または図１３のユーザ登録処理のステップＳ２０２の処理が実行されると、表示画面情報記憶エリア２４３から呼び出され、表示手段１２に表示される画面情報である。図８に示すユーザＩＤ登録画面には、使用者の名前等の識別情報を入力する入力領域と、前記識別情報を入力後、確定するＯＫアイコンが表示されている。よって、使用者は、ユーザ登録画面に対して、入力領域に名前等をタッチペン１１、または、図示はしないが、本実施形態に接続されているキーボード等で入力操作する。そして入力操作後に、ＯＫアイコンをタッチ操作することで、入力領域に入力された情報が、図７のユーザＩＤの項目に記憶される。
【００３９】
次に、図９〜図１１を参照しながら、入力情報記憶エリア２４１に記憶されている入力情報データベース２４１１（Ａ、Ｂ、Ｃ）について説明をする。また、本実施形態の入力情報データベース２４１１（Ａ、Ｂ、Ｃ）は、フラッシュＲＯＭ２４の入力情報記憶エリア２４１に記憶されている状態で説明をするが、これに限るものではなく、手書き情報が取得されている最中は、ＲＡＭ２３に一時記憶し、タッチペンアップ等により手書き情報が一旦中断した時点で、フラッシュＲＯＭに転送して記憶するようにしても良い。図９は、図４に示す手書き情報Ａ０１に対応した入力情報データベース２４１１Ａであり、入力ＩＤの項目と、Ｐａ１のＸ座標、Ｐａ１のＹ座標、基準Ｘ座標、基準Ｙ座標、取得時間の項目が対応付けて記憶されている。入力ＩＤの項目には、手書き情報を識別するための識別情報が記憶されている。また、前記入力ＩＤは、図７の入力ＩＤと対応している情報である。また、Ｐａ１のＸ座標、Ｐａ１のＹ座標の項目には、図５で説明したタッチペン１１Ａの先端部材Ｐａ１による接触点の位置を、タッチパネル２７を介して検出し、座標情報に変換して記憶されている。また、本実施形態での前記座標情報は、計時手段２８にて計測しながら所定間隔で（例えば５０ｍｓ）サンプリングして記憶されるようになっている。
【００４０】
基準Ｘ座標、基準Ｙ座標の項目には、上記のＰａ１のＸ座標、Ｐａ１のＹ座標に基づいて、手書き情報Ａ０１を表示手段１２へ表示する為の基準座標が決定されて記憶されている。ただ、手書き情報Ａ０１は、タッチペン１１Ａを用いて入力された情報であり、入力時の接触点が一つの先端部材Ｐａ１のみなので、Ｐａ１のＸ座標、Ｐａ１のＹ座標の情報を、そのまま基準Ｘ座標、基準Ｙ座標として使用するように決定される。
【００４１】
また、取得時間の項目には、前述した座標情報が入力され始めた時間を０として、所定間隔毎（本実施形態では５０ｍｓ）の経過時間が、座標情報と対応して記憶されている。
【００４２】
次に、図１０を参照しながら、入力情報データベース２４１１Ｂについて説明をする。入力情報データベース２４１１Ｂは、図４に示す手書き情報Ｂ０１に対応し、入力ＩＤの項目と、Ｐｂ１のＸ座標、Ｐｂ１のＹ座標、Ｐｂ２のＸ座標、Ｐｂ２のＹ座標、基準Ｘ座標、基準Ｙ座標、取得時間の項目が対応付けて記憶されている。入力ＩＤの項目には、手書き情報を識別するための識別情報が記憶されている。また、前記入力ＩＤは、図７の入力ＩＤと対応している情報である。また、Ｐｂ１のＸ座標、Ｐｂ１のＹ座標の項目には、図５で説明したタッチペン１１Ｂの先端部材Ｐｂ１による接触点の位置を、タッチパネル２７を介して検出し、座標情報に変換して記憶されている。同様に、Ｐｂ２のＸ座標、Ｐｂ２のＹ座標の項目には、図５で説明したタッチペン１１Ｂの先端部材Ｐｂ２による接触点の位置を、タッチパネル２７を介して検出し、座標情報に変換して記憶されている。また、本実施形態での前記座標情報は、計時手段２８にて計測しながら所定間隔で（例えば５０ｍｓ）サンプリングして記憶されるようになっている。
【００４３】
図１０の基準Ｘ座標、基準Ｙ座標の項目には、上記のＰｂ１のＸ座標、Ｐｂ１のＹ座標と、Ｐｂ２のＸ座標、Ｐｂ２のＹ座標に基づいて、手書き情報Ｂ０１を表示手段１２へ表示する為の基準座標が決定されて記憶されている。手書き情報Ｂ０１を入力する際に使用されたタッチペン１１Ｂは、２つの先端部材Ｐｂ１、Ｐｂ２による２つの接触点にて入力されているので、手書き情報として表示手段１２へ表示する為の基準座標は、前記２つの接触点の中心位置になるように決定されている。具体的には、図１０に示す基準Ｘ座標ＸＢ１は、Ｐｂ１のＸ座標Ｘｂ１００１とＰｂ２のＸ座標Ｘｂ２００１の中心座標とし、同様に基準Ｙ座標ＹＢ１は、Ｐｂ１のＹ座標Ｙｂ１００１とＰｂ２のＹ座標Ｙｂ２００１の中心座標となるように算出して決定している。
【００４４】
また、取得時間の項目には、前述した座標情報が入力され始めた時間を０として、所定間隔毎（本実施形態では５０ｍｓ）の経過時間が、座標情報と対応して記憶されている。
【００４５】
次に、図１１を参照しながら、入力情報データベース２４１１Ｃについて説明をする。入力情報データベース２４１１Ｃは、図４に示す手書き情報Ｃ０１に対応し、入力ＩＤの項目と、Ｐｃ１のＸ座標、Ｐｃ１のＹ座標、Ｐｃ２のＸ座標、Ｐｃ２のＹ座標、Ｐｃ３のＸ座標、Ｐｃ３のＹ座標、基準Ｘ座標、基準Ｙ座標、取得時間の項目が対応付けて記憶されている。入力ＩＤの項目には、手書き情報を識別するための識別情報が記憶されている。また、前記入力ＩＤは、図７の入力ＩＤと対応している情報である。また、Ｐｃ１のＸ座標、Ｐｃ１のＹ座標の項目には、図５で説明したタッチペン１１Ｃの先端部材Ｐｃ１による接触点の位置を、タッチパネル２７を介して検出し、座標情報に変換して記憶されている。同様に、Ｐｃ２のＸ座標、Ｐｃ２のＹ座標の項目には、図５で説明したタッチペン１１Ｃの先端部材Ｐｃ２による接触点の位置に対応し、Ｐｃ３のＸ座標、Ｐｃ３のＹ座標の項目には、先端部材Ｐｃ３による接触点の位置を、タッチパネル２７を介して検出し、座標情報に変換して記憶されている。
【００４６】
図１１の基準Ｘ座標、基準Ｙ座標の項目には、上記のＰｂ１のＸ座標、Ｐｂ１のＹ座標と、Ｐｂ２のＸ座標、Ｐｂ２のＹ座標、Ｐｃ３のＸ座標、Ｐｃ３のＹ座標に基づいて、手書き情報Ｃ０１を表示手段１２へ表示する為の基準座標が決定されて記憶されている。手書き情報Ｃ０１を入力する際に使用されたタッチペン１１Cは、３つの先端部材Ｐｃ１、Ｐｃ２、Ｐｃ３による３つの接触点にて入力されているので、手書き情報として表示手段１２へ表示する為の基準座標は、前記３つの接触点の中心位置になるように決定されている。具体的には、図１１に示す基準Ｘ座標ＸＣ１は、Ｐｃ１のＸ座標Ｘｃ１００１とＰｃ２のＸ座標Ｘｃ２００１と、Ｐｃ３のＸ座標Ｘｃ３００１の中心座標とし、同様に基準Ｙ座標ＹＣ１は、Ｐｃ１のＹ座標Ｙｃ１００１とＰｃ２のＹ座標Ｙｃ２００１と、Ｐｃ３のＹ座標Ｙｃ３００１の中心座標となるように算出して決定している。本実施形態でのタッチペン１１Ｃは、３つの先端部材により表示手段１２への接触点が三角形を構成するようになっているので、図１１の基準Ｘ座標、基準Ｙ座標は、三角形の中心位置の座標として算出されることになる。
【００４７】
次に、図１２を参照しながら、入力制御装置１０において実行されるメイン処理について説明する。図１２に示すメイン処理は、ＲＯＭ２２に記憶されたプログラムに従って、ＣＰＵ２１が実行する処理である。
【００４８】
図１２に示すメイン処理は、入力制御装置１０の電源がＯＮにされると開始される。まず初めに、ＣＰＵ２１は、手書き入力モードの開始操作があったかどうかを判断する（Ｓ１００）。ステップＳ１００の処理では、例えば表示手段１２に手書き入力モードを開始する旨のアイコン等を表示させて、使用者により手書き入力モードを開始するアイコンがタッチ操作されたかどうかをタッチパネル２７を介して判断するようにすれば良い。そして、ステップＳ１００の処理で、ＣＰＵ２１は、開始操作が無いと判断した場合（Ｓ１００：ＮＯ）、開始操作があるまでステップＳ１００の処理を繰り返し実行する。また、ステップＳ１００の処理で、ＣＰＵ２１は、開始操作が有ったと判断した場合（Ｓ１００：ＹＥＳ）、次に手書き入力が有ったかどうかを判断する（Ｓ１０１）。ステップＳ１０１の処理では、具体的には、使用者がタッチペンを用いて表示手段１２に対し手書き入力を開始したかどうかを、タッチパネル２７による接触検出の結果に基づいて判断する。そしてステップＳ１０１の処理で、ＣＰＵ２１は、手書き入力の検出が無いと判断した場合には（Ｓ１０１：ＮＯ）、繰り返しステップＳ１０１の処理を継続するが、手書き入力を検出したと判断した場合は（Ｓ１０１：ＹＥＳ）、次に接触点状態判別処理を実行する（Ｓ１０２）。
【００４９】
ステップＳ１０２の処理では、ステップＳ１０１の処理で検出された手書き情報に基づいて、接触点の状態を判別する。例えば、ステップＳ１０１の処理で検出された手書き情報の接触点が１点であると判断した場合、タッチペン識別情報データベース２４２１を参照して接触点状態が１点と記憶されているペンＩＤの１１Ａに対応していることを判別する処理が実行される。また、ステップＳ１０１の処理で検出された手書き情報の接触点が２点であると判断した場合は、接触点状態が２点と記憶されているペンＩＤの１１Ｂに対応していることを判別する。同様に、ステップＳ１０１の処理で検出された手書き情報の接触点が３点であると判断した場合、タッチペン識別情報データベース２４２１を参照して接触点状態が３点と記憶されているペンＩＤの１１Ｃに対応していることを判別する処理が実行される。
【００５０】
次に、ＣＰＵ２１は、ステップＳ１０２で判別した接触点状態に対応するペンＩＤに、ユーザＩＤが対応付けて登録されているかどうかを判断する（Ｓ１０３）。ステップＳ１０３の処理では、タッチペン識別情報データベース２４２１を参照し、ステップＳ１０２で判別処理した接触点状態に対応してユーザＩＤが記憶されているかどうかで判断する。そしてＣＰＵ２１は、ステップＳ１０３の処理で登録済と判断した場合（Ｓ１０３：ＹＥＳ）、次に座標情報取得処理を実行する（Ｓ１０６）。また、ステップＳ１０３の処理で、ＣＰＵ２１は、登録済でないと判断した場合（Ｓ１０３：ＮＯ）、ユーザ登録画面を表示する処理を実行する（Ｓ１０４）。
【００５１】
ステップＳ１０４の処理では、具体的には、前述した図８に示す様なユーザＩＤ登録画面を表示手段１２へ表示する。そして次に、ＣＰＵ２１は、ステップＳ１０４の処理にてユーザＩＤ登録画面に入力されたユーザ情報をユーザＩＤとして、ステップＳ１０２の処理で判別された接触点状態に対応するペンＩＤに対応付けして、タッチペン識別情報データベース２４２１に記憶し（Ｓ１０５）、ステップＳ１０６へ移行する。
【００５２】
ステップＳ１０６の処理では、ＣＰＵ２１は、入力される手書き情報に対応する座標情報を取得する。具体的には、所定時間間隔（本実施形態では５０ｍｓ）毎に、タッチペンの先端部材がタッチパネル２７に接触している位置情報をサンプリングして記憶する（Ｓ１０６）。そして、ＣＰＵ２１は、ステップＳ１０６の処理で取得した手書き情報の座標情報に、タッチペン識別情報データベース２４２１の入力ＩＤと同じ識別情報を付与する事で関連付けして、入力情報データベース２４１１に記憶する（Ｓ１０７）。
【００５３】
次に、ＣＰＵ２１は、ステップＳ１０６の処理で取得した座標情報から、接触点状態に対応した基準座標を算出決定して記憶する処理を実行する（Ｓ１０８）。ステップＳ１０８の処理は、前述に図９〜１１を参照しながら具体的に説明したので、ここでの詳細な説明は省略する。そして、ＣＰＵ２１は、手書き情報表示処理を実行する（Ｓ１０９）。ステップＳ１０９の処理では、ステップＳ１０８の処理で算出して記憶した基準座標に基づく画像情報を、手書き情報として表示手段１２へ表示する。よって、先端部材が複数設けられて接触点状態が複数検出されるタッチペン（１１Ｂ、１１Ｃ）を使用して、使用者が手書き情報を入力しても、表示手段１２には１本の線状態で表示させることになる。
【００５４】
ステップＳ１０９の処理後、ＣＰＵ２１は、手書き情報に対する編集指示が有ったかどうかを判断する（Ｓ１１０）。ステップＳ１１０の処理では、図示は省略するが、例えば手書き情報に対して、図７のタッチペン識別情報データベース２４２１の書式情報の項目である線の色、線種、線幅の変更や、削除等の編集処理をする為の編集アイコンが表示手段１２に表示されているとし、使用者がその編集アイコンをタッチ操作したかどうかで判断すれば良い。ステップＳ１１０の処理で、ＣＰＵ２１は、編集指示が有ったと判断した場合（Ｓ１１０：ＹＥＳ）、手書き編集処理を実行する（Ｓ１１１）。ステップＳ１１１の処理では、ステップＳ１１０の処理にて使用者が編集内容を指示した後、まず編集する対象の手書き情報をタッチペン１１でタッチ操作する等の選択指示を受け付ける。そして、選択された手書き情報に対応して記憶されているペンＩＤをタッチペン識別情報データベース２４２１から特定し、特定されたペンＩＤに対応付けられている手書き情報全てを、ステップＳ１１０で指示した編集内容の編集対象と特定し、指示された編集内容の編集処理を実行する。そして、ステップＳ１１１の処理の後、ＣＰＵ２１は、手書き入力モード終了指示があったかどうかを判断する（Ｓ１１２）。
【００５５】
また、ステップＳ１１０の処理にて、ＣＰＵ２１は、編集指示が無いと判断した場合は（Ｓ１１０：ＮＯ）、手書き入力モード終了指示があったかどうかを判断する（Ｓ１１２）。ステップＳ１１２の処理では、具体的には、例えば、表示手段１２に手書き入力モードの終了指示を受け付ける為のアイコン等を表示し、使用者が前記アイコン等にタッチ操作するようになっているものとする。そしてステップＳ１１２の処理で、ＣＰＵ２１は、終了指示が無いと判断した場合（Ｓ１１２：ＮＯ）、ステップＳ１０１の処理へ戻り繰り返し処理を実行する。また、ステップＳ１１２の処理で、ＣＰＵ２１は、終了指示が有ったと判断した場合（Ｓ１１２：ＹＥＳ）、手書き入力モードを終了し、本処理を終了する。
【００５６】
よって、上述で説明した本実施形態のメイン処理を実行することにより、複数の使用者によって、各々が利用する異なるタッチペンで手書き入力する場合でも、タッチペンの接触点の状態を判別することで、入力した手書き情報とタッチペンを対応付けして記憶することができる。
【００５７】
なお、上述で説明した本実施形態に示される構成や処理は例示であり、各種の変形が可能なことはいうまでもない。例えば、図１２のメイン処理のステップＳ１０２〜Ｓ１０５の処理では、最初にタッチペン１１のタッチによる接触状態を検出してから、ユーザＩＤを登録処理するように記載したが、これに限るものではない。変形実施例の一つとして、図１３のユーザ登録処理のフローチャートを参照しながら説明をする。
【００５８】
図１３のユーザ登録処理は、ＲＯＭ２２に記憶されたプログラムに従って、ＣＰＵ２１が実行する処理である。登録処理は、入力制御装置１０の電源がＯＮにされると開始される。まず初めに、ＣＰＵ２１は、複数のタッチペン１１のいずれか１つが取り出されたかどうかを判断する（Ｓ２００）。ステップＳ２００の処理では、図示はしないが、入力制御装置１０にタッチペン１１を収納する収納部を備え、さらに収納部に収納されているタッチペン１１が使用者により取り出されたことを検知する取出しセンサを備えているとし、取出しセンサによりタッチペンの取出しの有無を検出できるようにすれば良い。そして、ステップＳ２００の処理で、ＣＰＵ２１は、タッチペン１１の取出し検出が無いと判断した場合（Ｓ２００：ＮＯ）、繰り返しステップＳ２００の処理を継続する。
【００５９】
また、ステップＳ２００の処理で、ＣＰＵ２１は、タッチペンの取出し検出が有ったと判断した場合（Ｓ２００：ＹＥＳ）、タッチペン判定処理を実行する（Ｓ２０１）。ここでのステップＳ２０１の処理では、ステップＳ２００で取出し検出されたタッチペン１１のペンＩＤ情報を判定する処理を実行する。具体的には、例えば前記の取出しセンサと、ペンＩＤとを対応付けして記憶しておけば、タッチペンが取出された際に検出された取出しセンサに対応するペンＩＤの情報を取得するようにすれば良い。
【００６０】
次に、ＣＰＵ２１は、ユーザ登録画面を表示する処理を実行する（Ｓ２０２）。ここでのステップＳ２０２の処理では、図１２のステップＳ１０４の処理と同様の処理であり、図４に示したようなユーザＩＤ登録画面が表示手段１２に表示される。そして、ＣＰＵ２１は、タッチペン１１とユーザＩＤを対応付け記憶する処理を実行する（Ｓ２０３）。ここでのステップＳ２０３の処理では、図１２のステップＳ１０５の処理と同様の処理が実行され、ユーザＩＤ登録画面に入力されたユーザ情報をユーザＩＤとして、ステップＳ２０１の処理で判定されたペンＩＤに対応付けして、タッチペン識別情報データベース２４２１に記憶する。そして、本処理を終了する。上記ユーザ登録処理を実行することで、使用者はタッチペン１１を取出した後、ユーザＩＤの登録ができるので、容易にタッチペンと使用者を対応付けして記憶することができるようになる。
【００６１】
また、本実施形態では、タッチペンの先端部の種類を図５に示したように３種類にて説明したが、これに限るものではなく、タッチペンの先端部材の本数を、タッチパネル２７で検出できる範囲内で増加させることで、それに対応するタッチペン１１の種類数を備えるようにしても良い。
【００６２】
また、図１２に示すステップＳ１０２の接触点状態判別処理では、タッチペン１１の接触点の数にて判別するよう記載をしたが、これに限るものではない。例えば、タッチペン１１の先端部材を複数備え、タッチパネル２７へタッチ入力させる際の接触点の数と、その隣接する接触点同士の相対距離の情報も対応付けて、タッチペン識別情報データベース２４２１の接触点状態の項目に記憶する。そして、同じ接触点の数でも、その相対距離が異なるよう先端部材の配置を構成するタッチペンを備えることができるので、タッチペンの先端部材の本数を過剰に増加させることなく、より多種類のタッチペン１１の判別ができるようになる。また、さらに、タッチペン１１で入力する際に検出された接触点で形成される形状、例えば、三角形、四角形、菱形、五角形等の情報をタッチペン識別情報データベース２４２１の接触点状態の項目に記憶することで、同じ接触点の数でも、その接触点により形成される形状になるよう先端部材の配置を構成するタッチペンを備えることができるので、タッチペン１１の先端部材の本数を過剰に増加させることなく、より多種類のタッチペン１１の判別ができるようになる。また、さらに、タッチペン１１の先端部材の材質を帯電性の異なる材質で構成するようにし、その各々のタッチペン１１で入力する際に検出された帯電圧、または帯電圧の変化パターンの情報を、予めタッチペン識別情報データベース２４２１の接触点状態の項目に対応付けして記憶することで、タッチペン１１の先端部材の本数を過剰に増加させることなく、より多種類のタッチペン１１の判別ができるようにもなる。
【００６３】
また、図１２のステップＳ１０８の処理では、タッチペンの先端部材の接触点から検出された座標情報に基づいて、その中心座標を算出して基準座標としたが、これに限るものではない。例えば。複数の接触点に対応した座標情報の中から、どれか１つの座標情報をそのまま基準座標とするように決定しても良い。複数の座標情報の中から、一つを選択する方法としては、最初にタッチパネルに検出された接触点に対応する座標情報を、基準座標とするようにすれば良い。
【符号の説明】
【００６４】
１０    入力制御装置
１１    タッチペン
１１Ａ  先端部材が１つのタッチペン
１１Ｂ  先端部材が２つのタッチペン
１１Ｃ  先端部材が３つのタッチペン
１２    表示手段
１３    筐体  
１４    支持部材
２４１１Ａ  タッチペン１１Ａに対応した入力情報データベース
２４１１Ｂ  タッチペン１１Ｂに対応した入力情報データベース
２４１１Ｃ  タッチペン１１Ｃに対応した入力情報データベース
２４２１  タッチペン識別情報データベース
５１、５２、５３  伸縮部材
Ａ０１  タッチペン１１Ａにより入力された手書き情報  
Ｂ０１  タッチペン１１Ｂにより入力された手書き情報  
Ｃ０１  タッチペン１１Ｃにより入力された手書き情報
【図１】
2012053526.tif 000003
【図２】
2012053526.tif 000004
【図３】
2012053526.tif 000005
【図４】
2012053526.tif 000006
【図５】
2012053526.tif 000007
【図６】
2012053526.tif 000008
【図７】
2012053526.tif 000009
【図８】
2012053526.tif 000010
【図９】
2012053526.tif 000011
【図１０】
2012053526.tif 000012
【図１１】
2012053526.tif 000013
【図１２】
2012053526.tif 000014
【図１３】
2012053526.tif 000015